(57)【要約】      （修正有）【課題】従来の手まりの使用方法である玩具、美術品及び工芸品としての装飾性の高い機能に使用が限定されていた手まりを、実用的な機能を付加し、我々の生活に直接的に結びつける、におい手まりを提供する。【解決手段】籾殻２と香木チップ１を薄紙３で包み込み、木綿巻き糸４で巻きつけた土台まりに、木綿かがり糸５で模様をかがる事で形成され、籾殻２は高周波で処理されたことを特徴とする。【選択図】図３
0003153133.tif 000002
【実用新案登録請求の範囲】
【請求項１】
籾殻（２）と香木チップ（１）を薄紙（３）で包み込み、巻き糸（４）で巻いた土台まりと、該土台まりに、かがり糸（５）で模様をかがる事で形成されているにおい手まりにおいて、前記籾殻（２）は高周波で処理されたことを特徴とするにおい手まり。
【請求項２】
請求項１記載の籾殻の平均長手方向寸法は６ｍｍであることを特徴とするにおい手まり。
【考案の詳細な説明】
【技術分野】
【０００１】
この考案は、手まり芯として使用されている籾殻に、香木チップを混ぜ入れたものを手まり芯とした、におい手まりに関するものである。
【背景技術】
【０００２】
従来の手まりは、手まり芯、巻き糸、かがり糸より構成され、工芸品は次の様な手順で作製される。
【０００３】
まず、発砲スチロール球に、毛糸又は綿を当該地が見えなくなる迄、固く巻き、其の上に巻き糸を毛糸が見えなくなる迄、固く巻きつける。これを下地巻きといい、この上にかがり糸で模様を施していく。
【０００４】
我が国でまりとは、飛鳥時代に皇極天皇（６４２〜６４５）の時に中国より、まりが伝えられたといわれている。平安時代になると京都の公家階級を中心に朝議の一つとして行われた他、公家階級の遊戯として流行した。紫式部「源氏物語」、清少納言「枕草子」にも貴族の遊びとしてまりが書かれている。
【０００５】
鎌倉時代には後深草天皇（１２４６〜１２５９）が幼少の頃の記述に「石はじき、貝合わせ、手まりへんつぎ等で日を暮らしたまえば」とあり、女の子が座りながら行う遊びに使用されていたことが伺える。
【０００６】
江戸時代中期に書かれた「擁州府志」には、弾むまりが作られ婦人や女児が屋内外で下について遊ぶようになったことが書かれている。又、同時代には、少女の玩具となり、追羽根と並ぶ女児の正月の遊びとしてまりが流行する。
江戸時代後期には、表面を五彩の糸で巻いたまりが作られ、美術品及び工芸品としての役割を果たす装飾性の高いものが普及した。このまりは、江戸、京都及び大阪で盛んでしたが、農村へと広まっていき、各地方おいて特に芯とする材料においての選定がそれぞれの土地で工夫され種々試みられた。
【０００７】
明治後期になると多くの手まり歌が作られ、戦後までは、まりは女児に最も人気のある遊びであった。
昭和４０年頃から、テレビの普及や様々な玩具の出現により、まり遊びは次第に行われなくなった。
【０００８】
最近では、まりは玩具としてではなく美術品及び工芸品としての役割を果たす装飾性の高いものとなり床の間飾り等として、使用されていることが知られている。
【先行技術文献】
【特許文献】
【０００９】
【特許文献１】実開平６−５０６７１号公報。
【考案の概要】
【考案が解決しようとする課題】
【００１０】
実開平６−５０６７１号で紹介されている従来の技術では、次の様な欠点があった。従来の手まりは、手まり芯に発砲スチロールを使用し、巻き糸、かがり糸は合成染料の糸を使っていた。ところが、前記に述べた様な工業製品を手まりの材料として使用するため、元来郷土の特色に沿った材料を使用し、模様も土地柄を反映したものを施していた手まりが少なくなり郷土の特色がなくなり全国で均一化してしまった。
まずは、芯として用いられている発砲スチロールは多孔質なので大変軽く直径６ｃｍの手まりを作ると重量が１７ｇになる。従って、出来上がった時の重量感がなく表面の装飾を楽しむだけのものとなっていた。又、針の動きが制限され、針を芯深く差し込みことが出来ない為、土台まりの表面に巻いた糸を針ですくいながら模様を施していき、本来手まりを楽しむ醍醐味の一つである土台まり作りに関しても簡略化され、針で土台まりをかがる時のザクッザクッという手ごたえが失われていた。現在では、郷土の特色に沿った材料である籾殻や草木染の木綿糸も一般の人では入手が困難な状況になってきている。又、使用法については、玩具としての機能の他に、床の間飾りに用いる美術品及び工芸品としての装飾性の高い機能を具有するのに過ぎないものであり、機能が限定されて、我々の生活に直接結びつく事が少なく実用的ではなかった。又、手まり芯に籾殻を使った場合、天日乾燥により使用していた。ところが、天日乾燥では防虫、殺虫効果が十分でなく、しばしば虫が発生していた。
【００１１】
従って、本考案は、上記の点に鑑みてなされたものであって、美術品及び工芸品としての装飾性の高い機能に限定されていたまりを、実用的に我々の生活に結びつける為に考えたものである。
【課題を解決するための手段】
【００１２】
籾殻（２）と香木チップ（１）を薄紙（３）で包み込み、巻き糸（４）で巻いた土台まりと、該土台まりに、かがり糸（５）で模様をかがる事で形成され、前記籾殻（２）は高周波で処理されたことを特徴とするにおい手まり。
また、前記手まり芯部分の籾殻（２）の平均長手方向寸法は６ｍｍであることを特徴とするにおい手まり。平均長手方向寸法とは、表１に示すように、籾殻を無作為に１５０個摘出し、長手方向寸法の分布を示した表より、この時、籾殻長手方向寸法のピーク寸法が６ｍｍであるものとして定義づけられたものである。
【考案の効果】
【００１３】
本考案のにおい手まりは、以上のようになるから、郷土の特色がある手まりを作ることが出来、手まりの芯に籾殻を使用しているので、針で土台まりをかがる時のザクッザクッという手ごたえが得られる。
【００１４】
また、籾殻に、防虫、芳香、心身の浄化、防虫、解毒、健胃、強壮、利尿に効用があるとされてきた香を混ぜ入れることによって、美術品及び工芸品として装飾性の高い機能に限定されていた手まりを、美しさだけを目的としない私達の生活に普段から使用できる実用的なものとして作ることが出来る。
【００１５】
また、草木染の木綿糸は、防虫、抗菌、消臭、吸湿効果があり、落ち着いていて美しく、明るい色でありながら、それでいて少しもけばけばせずに柔らかいふっくりした裂の底から匂うような静かな美しさで、私たちの気持ちを浄化してくれる色の手まりを作ることが出来る。
【００１６】
また、高周波で籾殻を処理することにより、短い時間で殺菌、殺虫、乾燥させ除湿することができる。特に籾殻という材料から発生する問題点である防虫、殺虫効果が著しく、虫の発生がない。
【００１７】
よって、この考案の手まりは、容易に作製することができ、児童、学生、主婦等が手軽に製作を楽しめ、出来上がったときには、玩具、美術品及び工芸品として一般的な機能の他に居室、箪笥、クローゼット、納戸等に置くことにより装飾品としての機能と防虫及び芳香剤としての機能も備え合わせ、視覚及び嗅覚からも私たちの生活に結び付き、実用的な機能を付加した構成からなる。従って、個々の使用用途や好みにより、香木の種類を調合することによって、玩具、美術品及び工芸品として機能が限定されていた手まりを実用的に使用する事が出来、更に雅趣に富む生活空間が得られるものである。
また、専用の芳香剤を設置しなくても良い香りを楽しむ事が出来る上、衣類への移り香も楽しめ防虫効果も発揮し、携行用に使用することができる。従って、実用的に我々の生活に結びつける事ができ、手軽に楽しむことができるにおい手まりを提供できるものである。
【図面の簡単な説明】
【００１８】
【図１】薄紙に籾殻と香木チップを入れる説明図である。
【図２】図１に引き続き、薄紙で籾殻と香木チップを包み込む説明図である。
【図３】本考案におけるにおい手まりの断面図である。
【図４】本考案におけるにおい手まりの実施例である。
【図５】図５は高周波処理前の籾殻の状態１６ｇを示した図面代用写真である。
【図６】図６は高周波処理後の籾殻の状態１５ｇを示した図面代用写真である。
【００１９】
表１は手まりに使用する籾殻を無作為に１５０個摘出した長手方向寸法の分布図である。
【００２０】
【表１】
0003153133.tif 000003
【考案を実施するための最良の形態】
【００２１】
以下、本考案の実施するための最良の形態を示した各図を参照しながら説明する。
【実施例】
【００２２】
手まり芯として使用する籾殻（２）は、図５に示すように、稲の穂から外皮を取り除いていない米の籾を脱穀し、ふるいにかけ、表１に示すように、籾殻を無作為に１５０個摘出し、長手方向寸法の分布を示した表より、この時、籾殻長手方向寸法のピーク寸法が６ｍｍであるものを６ｍｍの平均長手方向寸法とする。図６に示すように、前記籾殻に、周波数２４５０ＭＨｚで、１分間、７００Ｗを当て、固体内に含まれる水の分子を振動させ、摩擦熱により、殺菌、殺虫、乾燥させ除湿する下処理を施したものであって、この実施例では、図１に示すように、４分の３カップ（１５０ｍｌ）用意し、白檀、丁字、桂皮等の香木チップ（２）を大さじ1杯（１５ｍｌ）混ぜ合わせる。これらを、手まり芯という。本実施例では、白檀、丁字、桂皮等の場合のみ述べたが、他の種類の香木に代えてもよいものである。
本実施例では、家庭用に使われている電子レンジを使用した為、２４５０ＭＨｚとしたが、汎用品以外の高周波発生装置であっても、殺菌、殺虫、乾燥させ除湿する目的を、達成できるものであればよい。
【００２３】
次に前記手まり芯を、坪量４０g/ｍ２以下の薄紙（３）に敷き詰める。続いて、図２に示すように、手で丸く包み込み、草木染の木綿巻き糸（４）を緩まないようにしっかりと巻きつけていき球状に形を整える。これらを、土台まりという。本実施例では、坪量４０g/ｍ２以下の薄紙を使用したが薄紙であれば他の紙にかえてもよいものである。
【００２４】
土台を地球に見立て最も北端を北極点、最も南端を南極点、地球表面と交わる大円を赤道とし、紙テープ（不図示）に土台まりの全周長の長さに等分な折り目をつけ線を印し（不図示）、土台表面の紙テープ（不図示）の線を確認しながら、等分点にまち針（不図示）を打ち、土台の北極点と南極点を通るようにして、草木染の木綿かがり糸（５）でかがり、土台まりの表面の縦地割を行い、次に、縦割り糸の中点である赤道部を草木染の木綿かがり糸（５）でかがり、横地割を形成する。これらを地割済みの土台まりという。
【００２５】
次に、前記の地割済みの土台まりに草木染の木綿かがり糸（５）で模様の装飾を施す。図４は本考案における手まりの実施例を示す。
【００２６】
手まり芯に使用する籾殻（２）は、平均長手寸法を定義づけた１５０個の籾殻が、５〜８ｍｍの間ということで限定するものではなく、４〜１０ｍｍの間というようなものでもよい。又、香木の量を調節し便宜匂いを変えることもできるものである。
【００２７】
上記実施例に関わらず、本考案の、におい手まりの土台まりを使って、におい手まりキットを作ってもよく、教室や自宅等においても誰でも手軽に手芸を楽しめるとともに、かつ、郷土の特色に沿った手まりを作製することができる。
【符号の説明】
【００２８】
１香木チップ
２籾殻
３薄紙
４木綿巻き糸
５木綿かがり糸
【図１】
0003153133.tif 000004
【図２】
0003153133.tif 000005
【図３】
0003153133.tif 000006
【図４】
0003153133.tif 000007
【図５】
0003153133.tif 000008
【図６】
0003153133.tif 000009
【手続補正書】
【提出日】平成21年6月24日(2009.6.24)
【手続補正１】
【補正対象書類名】実用新案登録請求の範囲
【補正対象項目名】請求項２
【補正方法】変更
【補正の内容】
【請求項２】
前記籾殻の平均長手方向寸法は６ｍｍであることを特徴とする請求項１記載のにおい手まり。